(57)【要約】【課題】プリント注文の受付を行うための注文受付装置に、画像のデータ容量を判定する機能を付加することである。【解決手段】注文受付装置１は、ポストカードにプリントする画像のデータ容量が所定量を超えているか否かを判定し、その画像のデータ容量が所定量を超えていると判定された場合、画像のデータ容量が超過している旨を表示するとともに、他の画像の選択又は画像の取込直しを促す旨を表示する。【選択図】　　　　　　図１
2004110162.tif 000002
【特許請求の範囲】
【請求項１】
画像のプリント注文の受付を行うための注文受付装置であって、
前記プリント注文された画像のデータ容量が所定量を超えているか否かを判定する判定手段と、
前記判定手段により、前記画像のデータ容量が所定量を超えていると判定された場合、画像のデータ容量が超過している旨を表示する表示手段と、
を備えることを特徴とする注文受付装置。
【請求項２】
前記プリント注文を行うための画像のデータを入力する入力手段を備え、
前記判定手段は、前記入力手段により入力された画像のデータ容量が所定量を超えているか否かを判定することを特徴とする請求項１記載の注文受付装置。
【請求項３】
前記判定手段により、前記画像のデータ容量が所定量を超えていると判定された場合、前記表示手段は、前記入力手段による他の画像のデータの入力を促す旨を更に表示することを特徴とする請求項２記載の注文受付装置。
【請求項４】
前記入力手段において、前記画像のデータはスキャナにより入力され、
前記前記判定手段により、前記画像のデータ容量が所定量を超えていると判定された場合、前記表示手段は、前記入力手段による当該画像のデータの入力のし直しを促す旨を更に表示することを特徴とする請求項２記載の注文受付装置。
【請求項５】
画像のプリント注文の受付を行うための注文受付装置であって、
通信ネットワークを介して、画像のプリント生成を行うプリント生成装置に接続され、
前記プリント注文された画像のデータ容量が所定量を超えているか否かを判定する判定手段と、
前記判定手段により、前記画像のデータ容量が所定量を超えていないと判定された場合、前記画像のプリント注文に必要な注文データを作成する作成手段と、
前記作成手段により作成された注文データを、前記通信ネットワークを介して前記プリント生成装置に送信する送信手段と、
を備えることを特徴とする注文受付装置。
【請求項６】
画像のプリント注文の受付を行うための注文受付装置であって、
通信ネットワークを介して、画像のプリント生成を行うプリント生成装置に接続され、
画像のプリント注文に必要な注文データを作成する作成手段と、
前記作成手段により作成された注文データに基づいて、前記プリント注文された画像のデータ容量が所定量を超えているか否かを判定する判定手段と、
前記判定手段により、前記プリント注文された画像のデータ容量が所定量を超えていないと判定された場合、前記作成手段により作成された注文データを、前記通信ネットワークを介して前記プリント生成装置に送信する送信手段と、
を備えることを特徴とする注文受付装置。
【請求項７】
複数の画像のプリント注文を行う場合、前記判定手段は、前記複数の画像の各々に対して、画像のデータ容量が所定量を超えているか否かを判定することを特徴とする請求項１〜６の何れか一項に記載の注文受付装置。
【請求項８】
複数の画像のプリント注文を行う場合、前記判定手段は、前記複数の画像のデータの総容量が所定量を超えているか否かを判定することを特徴とする請求項１〜６の何れか一項に記載の注文受付装置。
【請求項９】
画像のプリント注文の受付を行うための注文受付装置を制御するコンピュータに、
前記プリント注文された画像のデータ容量が所定量を超えているか否かを判定する判定機能と、
前記判定機能により、前記画像のデータ容量が所定量を超えていると判定された場合、画像のデータ容量が超過している旨を表示する表示機能と、
を実現させるためのプログラム。
【請求項１０】
前記プリント注文を行うための画像のデータを入力する入力機能を実現させ、
前記判定機能は、前記入力された画像のデータ容量が所定量を超えているか否かを判定することを特徴とする請求項９記載のプログラム。
【請求項１１】
前記判定機能により、前記画像のデータ容量が所定量を超えていると判定された場合、前記表示機能は、前記入力機能による他の画像のデータの入力を促す旨を更に表示することを特徴とする請求項１０記載のプログラム。
【請求項１２】
前記入力機能において、前記画像のデータはスキャナにより入力され、
前記前記判定機能により、前記画像のデータ容量が所定量を超えていると判定された場合、前記表示機能は、前記入力機能による当該画像のデータの入力のし直しを促す旨を更に表示することを特徴とする請求項１０記載のプログラム。
【請求項１３】
画像のプリント生成を行うプリント生成装置に通信ネットワークを介して接続された、プリント注文の受付を行うための注文受付装置を制御するコンピュータに、
前記プリント注文された画像のデータ容量が所定量を超えているか否かを判定する判定機能と、
前記判定機能により、前記画像のデータ容量が所定量を超えていないと判定された場合、前記画像のプリント注文に必要な注文データを作成する作成機能と、
前記作成機能により作成された注文データを、前記通信ネットワークを介して前記プリント生成装置に送信する送信機能と、
を実現させるためのプログラム。
【請求項１４】
画像のプリント生成を行うプリント生成装置に通信ネットワークを介して接続された、プリント注文の受付を行うための注文受付装置を制御するコンピュータに、
画像のプリント注文に必要な注文データを作成する作成機能と、
前記作成機能により作成された注文データに基づいて、前記プリント注文された画像のデータ容量が所定量を超えているか否かを判定する判定機能と、
前記判定機能により、前記プリント注文された画像のデータ容量が所定量を超えていないと判定された場合、前記作成機能により作成された注文データを、前記通信ネットワークを介して前記プリント生成装置に送信する送信機能と、
を実現させるためのプログラム。
【請求項１５】
複数の画像のプリント注文を行う場合、前記判定機能は、前記複数の画像の各々に対して、画像のデータ容量が所定量を超えているか否かを判定することを特徴とする請求項９〜１４の何れか一項に記載のプログラム。
【請求項１６】
複数の画像のプリント注文を行う場合、前記判定機能は、前記複数の画像のデータの総容量が所定量を超えているか否かを判定することを特徴とする請求項９〜１４の何れか一項に記載のプログラム。
【発明の詳細な説明】
【０００１】
【発明の属する技術分野】
本発明は、画像のプリント注文の受付を行うための注文受付装置及びプログラムに関する。
【０００２】
【従来の技術】
近年、フィルムに記録された撮影画像や、ＣＤ−Ｒやメモリカード等の記録媒体に記録された画像データのプリントを行うプリントサービスが展開されている。プリント注文の受付方法は様々あるが、その一つとして、客自身が、プリントサービスを提供している写真専門店や取次店に出向き、店内に設置された注文受付装置を用いて受付手続を行う方法がある。この方法において注文受付装置は、客によって入力された注文内容に基づいて注文データを作成し、作成された注文データを、通信ネットワークを介して、実際にプリントを生成するラボに送信する。ラボでは、注文受付装置から受信した注文データに従ってプリントを生成する。また、画像サーバが、通信ネットワークを介して客から画像データのプリント注文を受け付け、注文データをラボに送信する方法もある（例えば、特許文献１参照。）。
【０００３】
【特許文献１】
特開２００１−２４３３６５号公報
【０００４】
【発明が解決しようとする課題】
しかしながら、従来の注文受付装置又は画像サーバ（特許文献１）は、注文データの容量の大小に関係なく注文データをラボに送信していたため、ラボに送信する注文データの容量が大きすぎると、注文受付装置又は画像サーバ側の通信環境に影響を与えるだけでなく、ラボ側のプリント生成に影響を与えるという問題があった。
【０００５】
本発明の課題は、プリント注文の受付を行うための注文受付装置に、画像のデータ容量を判定する機能を付加することである。
【０００６】
【課題を解決するための手段】
請求項１記載の発明は、
画像のプリント注文の受付を行うための注文受付装置であって、
前記プリント注文された画像のデータ容量が所定量を超えているか否かを判定する判定手段と、
前記判定手段により、前記画像のデータ容量が所定量を超えていると判定された場合、画像のデータ容量が超過している旨を表示する表示手段と、
を備えることを特徴としている。
【０００７】
請求項２記載の発明は、請求項１記載の発明において、
前記プリント注文を行うための画像のデータを入力する入力手段を備え、
前記判定手段は、前記入力手段により入力された画像のデータ容量が所定量を超えているか否かを判定することを特徴としている。
【０００８】
請求項３記載の発明は、請求項２記載の発明において、
前記判定手段により、前記画像のデータ容量が所定量を超えていると判定された場合、前記表示手段は、前記入力手段による他の画像のデータの入力を促す旨を更に表示することを特徴としている。
【０００９】
請求項４記載の発明は、請求項２記載の発明において、
前記入力手段において、前記画像のデータはスキャナにより入力され、
前記前記判定手段により、前記画像のデータ容量が所定量を超えていると判定された場合、前記表示手段は、前記入力手段による当該画像のデータの入力のし直しを促す旨を更に表示することを特徴としている。
【００１０】
請求項５記載の発明は、
画像のプリント注文の受付を行うための注文受付装置であって、
通信ネットワークを介して、画像のプリント生成を行うプリント生成装置に接続され、
前記プリント注文された画像のデータ容量が所定量を超えているか否かを判定する判定手段と、
前記判定手段により、前記画像のデータ容量が所定量を超えていないと判定された場合、前記画像のプリント注文に必要な注文データを作成する作成手段と、
前記作成手段により作成された注文データを、前記通信ネットワークを介して前記プリント生成装置に送信する送信手段と、
を備えることを特徴としている。
【００１１】
請求項６記載の発明は、
画像のプリント注文の受付を行うための注文受付装置であって、
通信ネットワークを介して、画像のプリント生成を行うプリント生成装置に接続され、
画像のプリント注文に必要な注文データを作成する作成手段と、
前記作成手段により作成された注文データに基づいて、前記プリント注文された画像のデータ容量が所定量を超えているか否かを判定する判定手段と、
前記判定手段により、前記プリント注文された画像のデータ容量が所定量を超えていないと判定された場合、前記作成手段により作成された注文データを、前記通信ネットワークを介して前記プリント生成装置に送信する送信手段と、
を備えることを特徴としている。
【００１２】
請求項７記載の発明は、請求項１〜６の何れか一項に記載の発明において、
複数の画像のプリント注文を行う場合、前記判定手段は、前記複数の画像の各々に対して、画像のデータ容量が所定量を超えているか否かを判定することを特徴としている。
【００１３】
請求項８記載の発明は、請求項１〜６の何れか一項に記載の発明において、
複数の画像のプリント注文を行う場合、前記判定手段は、前記複数の画像のデータの総容量が所定量を超えているか否かを判定することを特徴としている。
【００１４】
請求項９記載の発明は、
画像のプリント注文の受付を行うための注文受付装置を制御するコンピュータに、
前記プリント注文された画像のデータ容量が所定量を超えているか否かを判定する判定機能と、
前記判定機能により、前記画像のデータ容量が所定量を超えていると判定された場合、画像のデータ容量が超過している旨を表示する表示機能と、
を実現させる。
【００１５】
請求項１０記載の発明は、請求項９記載の発明において、
前記プリント注文を行うための画像のデータを入力する入力機能を実現させ、
前記判定機能は、前記入力された画像のデータ容量が所定量を超えているか否かを判定することを特徴としている。
【００１６】
請求項１１記載の発明は、請求項１０記載の発明において、
前記判定機能により、前記画像のデータ容量が所定量を超えていると判定された場合、前記表示機能は、前記入力機能による他の画像のデータの入力を促す旨を更に表示することを特徴としている。
【００１７】
請求項１２記載の発明は、請求項１０記載の発明において、
前記入力機能において、前記画像のデータはスキャナにより入力され、
前記前記判定機能により、前記画像のデータ容量が所定量を超えていると判定された場合、前記表示機能は、前記入力機能による当該画像のデータの入力のし直しを促す旨を更に表示することを特徴としている。
【００１８】
請求項１３記載の発明は、
画像のプリント生成を行うプリント生成装置に通信ネットワークを介して接続された、プリント注文の受付を行うための注文受付装置を制御するコンピュータに、
前記プリント注文された画像のデータ容量が所定量を超えているか否かを判定する判定機能と、
前記判定機能により、前記画像のデータ容量が所定量を超えていないと判定された場合、前記画像のプリント注文に必要な注文データを作成する作成機能と、
前記作成機能により作成された注文データを、前記通信ネットワークを介して前記プリント生成装置に送信する送信機能と、
を実現させる。
【００１９】
請求項１４記載の発明は、
画像のプリント生成を行うプリント生成装置に通信ネットワークを介して接続された、プリント注文の受付を行うための注文受付装置を制御するコンピュータに、
画像のプリント注文に必要な注文データを作成する作成機能と、
前記作成機能により作成された注文データに基づいて、前記プリント注文された画像のデータ容量が所定量を超えているか否かを判定する判定機能と、
前記判定機能により、前記プリント注文された画像のデータ容量が所定量を超えていないと判定された場合、前記作成機能により作成された注文データを、前記通信ネットワークを介して前記プリント生成装置に送信する送信機能と、
を実現させる。
【００２０】
請求項１５記載の発明は、請求項９〜１４の何れか一項に記載の発明において、
複数の画像のプリント注文を行う場合、前記判定機能は、前記複数の画像の各々に対して、画像のデータ容量が所定量を超えているか否かを判定することを特徴としている。
【００２１】
請求項１６記載の発明は、請求項９〜１４の何れか一項に記載の発明において、
複数の画像のプリント注文を行う場合、前記判定機能は、前記複数の画像のデータの総容量が所定量を超えているか否かを判定することを特徴としている。
【００２２】
本発明によれば、プリント注文された画像のデータ容量を判定し、画像のデータ容量が所定量を超えていると判定された場合は、プリント注文をできないようにし、画像のデータ容量が所定量を超えていないと判定された場合は、プリント注文を行えるようにしたことにより、プリント注文の受付手続における負荷が軽減される。
【００２３】
【発明の実施の形態】
以下、図を参照して本発明の実施の形態を詳細に説明する。
まず、構成を説明する。
【００２４】
図１は、本発明を適用した注文受付装置１の主要部構成を示すブロック図である。注文受付装置１は、図１に示すように、ＣＰＵ１１、表示部１２、操作部１３、メディア入力部１４、記憶部１５、通信部１６により構成され、各部は、バス１７により接続されている。
【００２５】
ＣＰＵ１１は、記憶部１５に格納された各種処理プログラムに従って、各部の動作を集中制御する。具体的には、ＣＰＵ１１は、プリント注文に必要な画像のデータ容量が所定量（例えば、１００ＭＢ）を超えているか否かを判定する。画像データ容量が所定量を超えている場合は、表示部１２に警告メッセージを表示させる。本実施の形態では、画像のデータ容量の判定基準となる容量と１００ＭＢに設定するが、容量判定の基準となる容量は特に限定されない。なお、ＣＰＵ１１は、特許請求の範囲における判定手段及び作成手段としての機能を有する。
【００２６】
表示部１２は、ＬＣＤ（Ｌｉｑｕｉｄ　Ｃｒｙｓｔａｌ　Ｄｉｓｐｌａｙ）やＣＲＴ（Ｃａｔｈｏｄｅ　Ｒａｙ　Ｔｕｂｅ）等により構成され、ＣＰＵ１１から入力される表示信号に従って、所要の表示処理を行う。表示部１２における画面表示例を図６〜図１４に示す。なお、表示部１２は、特許請求の範囲における表示手段としての機能を有する。
【００２７】
操作部１３は、テンキー、カーソルキー、各種ファンクションキー等を有し、キーの押下による操作信号をＣＰＵ１１に出力する。また、操作部１３は、ポインティングデバイスであるマウスを有し、マウスのクリック操作による操作信号をＣＰＵ１１に出力する。なお、操作部１３は、表示部１２のＬＣＤと一体になったタッチパネルを含んだ構成としてもよい。
【００２８】
メディア入力部１４は、メモリスティック（登録商標）、スマートメディア（登録商標）、コンパクトフラッシュ（登録商標）、マルチメディアカード（登録商標）、ＳＤメモリカード（登録商標）、ＰＣカード等のメモリカードが装着可能な構成となっている。
【００２９】
また、メディア入力部１４は、フィルム画像やプリント画像を読み取るためのスキャナを備えている。このスキャナは、発光部、ＣＣＤ（Ｃｈａｒｇｅ　Ｃｏｕｐｌｅｄ　Ｄｅｖｉｃｅ）、Ａ／Ｄコンバータ（何れも図示略）等を備えている。発光部は、フィルムやプリントに光を照射し、フィルムやプリントに記録された撮影画像を撮像光として出力する。ＣＣＤは、発光部から出力された撮像光（光信号）を光電変換により電気信号（アナログ信号）に変換する。Ａ／Ｄコンバータは、このアナログ信号をデジタル信号（画像データ）に変換する。なお、メディア入力部１４は、特許請求の範囲における入力手段としての機能を有する。
【００３０】
記憶部１５は、ＣＰＵ１１により実行される各種処理プログラム及びこれらの処理プログラムの実行時に使用されるデータ等を格納している。
【００３１】
通信部１６は、モデム（ＭＯＤＥＭ：Ｍｏｄｕｌａｔｅｒ／ＤＥＭｏｄｕｌａｔｅｒ）、ターミナルアダプタ（Ｔｅｒｍｉｎａｌ　Ａｄａｐｔｅｒ）、ＬＡＮアダプタ等によって構成され、電話回線、ＩＳＤＮ回線、或いは専用線等の通信ネットワークを介して、外部機器との通信を行うための通信制御を行う。注文受付装置１に通信接続される外部機器には、注文受付装置１で作成された注文データに基づいてプリントを生成するラボ内の端末や、プリントサービスを管理している管理サーバ等が含まれる。この管理サーバは、ラボ内に設置されていてもよい。なお、通信部１６は、特許請求の範囲における送信手段としての機能を有する。
【００３２】
次に、本実施の形態の動作を説明する。
図２〜図４のフローチャートを参照して、注文受付装置１において実行される注文受付処理について説明する。以下のフローチャートでは、ポストカードのプリント注文の受付を行う場合について説明する。
【００３３】
プリント注文を行う客は、プリントサービスを提供する写真専門店や取次店の店頭に、注文内容を記入したスタッファとともに、画像データが記録された記録媒体（メモリカード）、撮影画像が記録されたフィルム、プリントの少なくとも一つを持参して、注文を依頼する。ここで、スタッファとは、プリント注文を行うためのカタログ票のことである。このスタッファには、ポストカードで利用可能な各種デザイン及びそれらの識別番号が掲載されているとともに、これらのデザインを参照してプリント注文を行うための記入フォームが設けられている。
【００３４】
まず、注文データ作成プログラムが起動されると、表示部１２には、図６に示すようにスタート画面が表示される（ステップＳ１）。スタート画面には、プリント注文を行うためのボタンとして、「そのままプリントを注文する」ボタン及び「ポストカード＆手づくりプリントを注文する」ボタンが表示されている。ここで、「そのままプリント」とは、ポストカード作成やカレンダー作成等の特定の目的に適用される特殊な処理を行わずに通常のプリントを生成することを示す。また、スタート画面には、注文状況を確認するための「注文状況確認」ボタン及び注文履歴を表示するための「注文履歴」ボタンが表示されている。
【００３５】
客から預かったスタッファに記入された注文内容に基づいて、ポストカードのプリント注文の受付を行う場合、図６のスタート画面において、「ポストカード＆手作りプリントを注文する」ボタンが、マウスのクリック操作により選択される（ステップＳ２）。
【００３６】
注文受付装置１は、プリントサービスを管理している管理サーバから、少なくとも一日に一回は、プリント注文に関する最新情報を取得することになっているが、ステップＳ２でのボタン選択時に、その日の最新情報が未だ取得されていない場合、サーバに接続され、最新情報のダウンロードが開始される。ダウンロードされる最新情報には、ポストカードで利用可能な各種デザインに適用されるオプション機能の料金（技術料金、トリミング料金、文字入れ料金等のオプション料金情報）が含まれる。なお、これらのオプション料金を店側で設定し、店頭料金で提供することが可能である。
【００３７】
図６のスタート画面において、「ポストカード＆手作りプリントを注文する」ボタンが選択されると、図７に示すように、注文者情報・スタッファ情報入力画面が表示される（ステップＳ３）。
【００３８】
図７に示す注文者情報・スタッファ情報入力画面には、プリント注文を行う客（ポストカードの差出人）の氏名及び電話番号の入力欄とともに、「カテゴリ」欄、「ご注文の品番（デザイン番号）」欄及び「オプション」欄が設けられている。ポストカードを作成する場合、「カテゴリ」欄では、結婚用、誕生用、入学用、転居用、書中見舞い用等のポストカードの用途が選択可能になっている。「ご注文の品番（デザイン番号）」欄では、スタッファに掲載された各種デザインを識別するための番号が選択可能になっている。
【００３９】
「オプション」欄では、「ご注文の品番（デザイン番号）」欄で選択されたデザイン毎に、適用可能なオプション項目が表示される。各オプション項目には、項目を指定するためのチェックボックスが設けられ、デザインに応じて、予め特定の項目がチェックされている。例えば、図７では、デザイン番号３ＰＤ−１３Ｙのデザインに対しては、オプションとして、技術料金、トリミング料金、自由文字入れ料金及び文字入れ料金が適用可能であるが、技術料金及び文字入れ料金が予めチェックされている。このチェックは、店側の判断ではずすことができる。例えば、技術料金を無料にする場合は、技術料金項目のチェックをはずすことができる。
【００４０】
図７の注文者情報・スタッファ情報入力画面が表示されると、この画面上で、客から預かったスタッファに記入された内容に基づいて、店員によって、客の氏名及び電話番号が入力されるとともに、カテゴリ、品番及びオプションが選択される（ステップＳ４）。
【００４１】
ステップＳ４における情報入力が終了し、注文者情報・スタッファ情報入力画面において、「次へ」ボタンがクリックされると、表示部１２には、ポストカード作成に必要な編集画面が表示されるとともに（ステップＳ５）、ポストカードに使用するデザインを選択するためのデザイン選択画面（図示略）が表示される（ステップＳ６）。
【００４２】
デザイン選択画面上で、ポストカードに使用するデザインが選択されると（ステップＳ７）、編集画面には、図８に示すように、ステップＳ７で選択されたデザインが表示される。図８では、結婚用のデザインが選択された例を示している。
【００４３】
編集画面の上部には、次の操作を指示するためのメッセージが表示されている。図８では、「左側の「画像を取込む」ボタンをクリックすると、画像取込画面に進みます。」というメッセージが表示されている。このメッセージに従って、左側に表示された「画像を取込む」ボタンがクリックされると（ステップＳ８；ＹＥＳ）、表示部１２には、図９に示すような画像取込方法選択ダイアログが表示される（ステップＳ９）。
【００４４】
図９の画像取込方法選択ダイアログでは、ポストカードに使用する画像を取込む方法を選択するための「ファイルを選択して取り込む」ボタン及び「スキャナから取込む」ボタンが表示されている。「ファイルを選択して取り込む」ボタンは、客が持参したメディア（メモリカード等）の記録内容から所望の画像ファイルを選択して取り込むことを示し、「スキャナから取り込む」ボタンは、客が持参したプリント画像をスキャナにより読み取って取り込むことを示している。
【００４５】
図９の画像取込方法選択ダイアログにおいて、画像の取り込み方法が選択されると（ステップＳ１０）、選択された取り込み方法に従って、メディア入力部１４から、ポストカードに使用される画像が取り込まれる（ステップＳ１１）。画像取り込み後の編集画面の例を図１０に示す。
【００４６】
図１０では、複数の画像が取り込まれた場合を示しており、編集画面上部のメッセージ「フォトフレーム内にはめ込む画像を選択してください。」に従って、これらの画像の中から、ポストカードのフォトフレーム内にはめ込む画像が選択される（ステップＳ１２）。画像選択後の編集画面の例を図１１に示す。
【００４７】
フォトフレーム内にはめ込む画像が選択されると、ＣＰＵ１１は、その選択された画像のデータ容量が１００ＭＢを超えているか否かを判定する（ステップＳ１３）。
【００４８】
ステップＳ１３において、選択された画像のデータ容量が１００ＭＢを超えていると判定されると（ステップＳ１３；ＹＥＳ）、表示部１２には、図１２に示すような警告メッセージが表示される（ステップＳ１４）。
【００４９】
図１２（ａ）に示した「警告！！データ量が大きすぎます。他の画像を選択してください。」というメッセージは、ステップＳ１１において、複数の画像が取り込まれた場合に表示されるメッセージである。図１２（ｂ）に示した「警告！！データ量が大きすぎます。画像を取込直してください。」というメッセージは、ステップＳ１１において、スキャナにより画像が取り込まれた場合に表示されるメッセージである。
【００５０】
他の画像が選択されるか、画像の取込直しが行われると（ステップＳ１５；ＹＥＳ）、ステップＳ１３に戻り、ＣＰＵ１１は、再度、該当する画像のデータ容量の判定を行う。他の画像の選択も、画像の取込直しも行われない場合（ステップＳ１５；ＮＯ）、プリント注文の受付手続は中止され、表示部１２には、図６に示すスタート画面が表示される（ステップＳ１）。
【００５１】
ステップＳ１３において、選択された画像のデータ容量が１００ＭＢを超えていないと判定されると（ステップＳ１３；ＮＯ）、ＣＰＵ１１は、編集画面内のボタンの選択を待機する。
【００５２】
図１１の編集画面に示されたポストカード下部の空欄には、文字を入力することが可能であるため、この編集画面上部には、「右側のボタンで画像位置を調整し、よろしければ、左側の「文字を入れる」ボタンをクリックしてください。」というメッセージが表示される。このメッセージに従って、編集画面左側の「文字を入れる」ボタンがクリックされると（ステップＳ１６；ＹＥＳ）、表示部１２には、図１３に示すような文字入力選択画面が表示される（ステップＳ１７）。
【００５３】
図１３に示す文字入力選択画面では、文字入力形式を選択するために、「差出人情報を入力する（一般）」、「定型で文字を入力する（業務）」、「自由に文字を入力する」、「定型あいさつ文を選ぶ」及び「日付を入力する」の５つのボタンが設けられている。これらのボタンのうちの何れかがクリックされると、対応する文字を入力するための専用のダイアログが表示され、文字入力が行われる（ステップＳ１８）。
【００５４】
ステップＳ１８における文字入力が終了し、編集画面左側の「注文する」ボタンがクリックされると（ステップＳ１９；ＹＥＳ）、表示部１２には、プリント注文する画像を確認するための注文画像確認画面（図示略）が表示される（ステップＳ２０）。注文画像の確認が終了すると、表示部１２には、プリント枚数やはがき種を指定するための入力画面が表示される（ステップＳ２１）。
【００５５】
ステップＳ２１において、プリント枚数やはがき種の指定が終了すると、表示部１２には、図１４に示すように、注文内容を確認するための注文確認画面が表示される（ステップＳ２２）。
【００５６】
図１４に示す注文確認画面では、メニュー項目毎に単価、数量及び料金が表示されている。また、オプションメニュー項目毎に、チェックボックスが設けられ、オプションメニュー項目の追加や削除を可能にしている。図１４に示す注文確認画面において、オプションメニューの追加や削除の最終確定を行うことができる。
【００５７】
注文確認が終了し、注文確認画面の「送信」ボタンがクリックされると、注文データが確定され、表示部１２には、パスワード入力ダイアログ（図示略）が表示され、店員にパスワードの入力が促される。この注文データには、図１４の注文確認画面に示された注文内容のデータの他、ポストカードに使用する画像データが含まれている。また、パスワードは、店毎に設定される。
【００５８】
パスワードが入力されると（ステップＳ２３）、ＣＰＵ１１は、注文データの容量が規定値（例えば、１５０ＭＢ）を超えているか否かを判定する（ステップＳ２４）。ステップＳ２４において、注文データの容量が規定値を超えていると判定されると（ステップＳ２４；ＹＥＳ）、表示部１２には、プリント注文ができない旨を示す警告メッセージ（図示略）が表示され（ステップＳ２５）、プリント注文受付手続は中止される。なお、注文データの容量が規定値を超えている場合、再度、画像の選択又は画像の取込直しを促すようにしてもよい。
【００５９】
ステップＳ２４において、注文データの容量が規定値を超えていないと判定されると（ステップＳ２４；ＮＯ）、注文データをラボに送信するための送信ファイルが作成される。送信ファイルの作成が終了すると、ＣＰＵ１１によって、注文データ送信プログラムが起動され、作成された送信ファイルに従って、ラボへの注文データの送信（バックグラウンド送信）が開始される（ステップＳ２６）。
【００６０】
注文データの送信が開始されると、表示部１２には、注文終了画面（図示略）が表示され（ステップＳ２７）、スタート画面が表示される（ステップＳ１）。
【００６１】
以上のように、本実施の形態の注文受付装置１によれば、ポストカードに使用する画像のデータ容量を判定し、データ容量が所定量（１００ＭＢ）を超えている場合には、プリント注文をできないようにしたことにより、プリント注文の受付手続における負荷が軽減される。また、データ容量が所定量より小さい画像をポストカードに使用することにより、ラボ側に注文データを円滑に送信することができるとともに、ラボ側でのプリント生成における負荷が軽減される。
【００６２】
また、ポストカードに使用する画像のデータ容量が所定量を超えている場合に、図１２に示すように、他の画像の選択又は画像の取込直しを促すメッセージを表示することにより、プリント注文ができなくなる可能性が少なくなる。
【００６３】
なお、本実施の形態における記述内容は、本発明の趣旨を逸脱しない範囲で適宜変更可能である。
【００６４】
例えば、本実施の形態では、ポストカードにおけるプリント注文を行う場合を示したが、本発明は、ポストカード以外のプリント注文においても適用可能である。
【００６５】
また、本実施の形態では、プリント注文に必要な画像データ容量の判定を、画像を選択した時点で行ったが、容量判定のタイミングは特に限定されない。例えば、この容量判定を、ラボへ注文データを送信する直前に行うようにしてもよい。
【００６６】
更に、本実施の形態では、一画像のプリント注文を行う場合を示したが、複数画像のプリント注文を行う場合にも、本発明は適用可能である。例えば、複数のフォトフレームを有するポストカードのプリント注文を行う場合や、図６のスタート画面において「そのままプリントを注文する」を選択し、複数の画像のプリント注文を行う場合においても、図３のフローチャートに示したような画像データ容量の判別を行うことができる。
【００６７】
複数画像のプリント注文を行う場合の例として、二つの画像のプリント注文を行う場合の画像データ容量の判別部分の動作を、図５のフローチャートを参照して説明する。
【００６８】
プリント注文する第１画像が選択されると（ステップＴ１）、ＣＰＵ１１は、その選択された画像のデータ容量が規定値（例えば、５０ＭＢ）を超えているか否かを判定する（ステップＴ２）。
【００６９】
ステップＴ２において、ステップＴ１で選択された第１画像のデータ容量が規定値を超えていると判定されると（ステップＴ２；ＹＥＳ）、表示部１２には、図１２に示すような警告メッセージが表示され（ステップＴ３）、図３のフローチャートと同様に、他の画像の選択又は画像の取込直しが促される。
【００７０】
ステップＴ２において、ステップＴ１で選択された第１画像のデータ容量が規定値を超えていないと判定されると（ステップＴ２；ＮＯ）、表示部１２には、プリント注文する第２画像の選択を促す画面（図示略）が表示される。
【００７１】
プリント注文する第２画像が選択されると（ステップＴ４）、ＣＰＵ１１は、その選択された画像のデータ容量が規定値を超えているか否かを判定する（ステップＴ５）。
【００７２】
ステップＴ５において、ステップＴ４で選択された第２画像のデータ容量が規定値を超えていると判定されると（ステップＴ５；ＹＥＳ）、表示部１２には、図１２に示すような警告メッセージが表示され（ステップＴ６）、図３のフローチャートと同様に、他の画像の選択又は画像の取込直しが促される。
【００７３】
ステップＴ５において、ステップＴ４で選択された第２画像のデータ容量が規定値を超えていないと判定されると（ステップＴ５；ＮＯ）、ＣＰＵ１１は、第１画像と第２画像のデータ容量の合計が規定値（例えば、１００ＭＢ）を超えているか否かを判定する（ステップＴ７）。
【００７４】
ステップＴ７において、第１画像と第２画像のデータ容量の合計が規定値を超えていると判定されると（ステップＴ７；ＹＥＳ）、表示部１２には、プリント注文ができない旨を示す警告メッセージ（図示略）が表示され（ステップＴ８）、プリント注文受付手続は中止される。なお、第１画像と第２画像のデータ容量の合計が規定値を超えている場合、再度、画像の選択又は画像の取込直しを促すようにしてもよい。
【００７５】
ステップＴ７において、第１画像と第２画像のデータ容量の合計が規定値を超えていないと判定されると（ステップＴ７；ＮＯ）、画像選択が終了し（ステップＴ９）、表示部１２には、編集画面が表示される。ＣＰＵ１１は、編集画面内のボタンの選択を待機する。
【００７６】
【発明の効果】
本発明によれば、プリント注文された画像のデータ容量を判定し、画像のデータ容量が所定量を超えていると判定された場合は、プリント注文をできないようにし、画像のデータ容量が所定量を超えていないと判定された場合は、プリント注文を行えるようにしたことにより、プリント注文の受付手続における負荷が軽減される。
【図面の簡単な説明】
【図１】本発明を適用した注文受付装置１の主要部構成を示すブロック図。
【図２】本実施の形態の注文受付装置１において実行される注文受付処理を示すフローチャート。
【図３】本実施の形態の注文受付装置１において実行される注文受付処理を示すフローチャート。
【図４】本実施の形態の注文受付装置１において実行される注文受付処理を示すフローチャート。
【図５】複数画像のプリント注文を行う場合の注文受付処理において、画像データ容量の判定部分のフローチャート。
【図６】表示部１２に表示されるスタート画面を示す図。
【図７】注文者情報・スタッファ情報入力画面を示す図。
【図８】デザイン選択後の編集画面を示す図。
【図９】画像取込方法選択ダイアログ画面を示す図。
【図１０】画像取り込み後の編集画面を示す図。
【図１１】画像選択後の編集画面を示す図。
【図１２】画像ファイルを選択して画像を取り込んだ場合の警告メッセージ画面（同図（ａ））と、スキャナから画像を取り込んだ場合の警告メッセージ画面（同図（ｂ））を示す図。
【図１３】文字入力選択画面を示す図。
【図１４】注文内容確認画面を示す図。
【符号の説明】
１　　注文受付装置
１１　ＣＰＵ
１２　表示部
１３　操作部
１４　メディア入力部
１５　記憶部
１６　通信部
１７　バス
【図１】
2004110162.tif 000003
【図２】
2004110162.tif 000004
【図３】
2004110162.tif 000005
【図４】
2004110162.tif 000006
【図５】
2004110162.tif 000007
【図６】
2004110162.tif 000008
【図７】
2004110162.tif 000009
【図８】
2004110162.tif 000010
【図９】
2004110162.tif 000011
【図１０】
2004110162.tif 000012
【図１１】
2004110162.tif 000013
【図１２】
2004110162.tif 000014
【図１３】
2004110162.tif 000015
【図１４】
2004110162.tif 000016